(57)【要約】      （修正有）【課題】パッド回転時の摩擦抵抗を少なくすると共に、パッドが外れたり摩滅した場合であってもパッド台が直接床面と接触しないようにした床洗浄装置及び洗浄用パッドを提供する。【解決手段】駆動装置によって往復運動又は回転運動をするパッド台の下面に洗浄用のパッドを取り付けた床洗浄装置及びこの装置に使用する洗浄用のパッドにおいて、パッド台に適宜の間隔を設けて穴を穿設した保護パッドを取り付け、この穴の内側に保護パッドより厚肉のメラミンフォーム製のパッド片を位置せしめ、パッド片をパッド台に着脱可能に取り付けた【選択図】図１
0003145296.tif 000002
【実用新案登録請求の範囲】
【請求項１】
駆動装置によって往復運動又は回転運動をするパッド台の下面に洗浄用のパッドを取り付けた床洗浄装置において、パッド台に適宜の間隔を設けて穴を穿設した保護パッドを取り付け、この穴の内側に保護パッドより厚肉のメラミンフォーム製のパッド片を位置せしめ、これをパッド台に着脱可能に取り付けた床洗浄装置。
【請求項２】
保護パッドの穴にパッド片を密嵌させた状態でパッド台に取り付けられている請求項１に記載の床洗浄装置。
【請求項３】
パッド片の周壁をテーパー状に形成し洗浄面側の横断面を穴より大きくした請求項１又は２に記載の床洗浄装置。
【請求項４】
駆動装置によって往復運動又は回転運動をする床洗浄装置のパッド台に着脱可能に取り付ける洗浄用のパッドであって、適宜の間隔を設けて穴を穿設した保護パッドと、保護パッドより厚肉に形成してその穴の内側に位置せしめるメラミンフォーム製のパッド片とからなる洗浄用のパッド。
【請求項５】
駆動装置によって往復運動又は回転運動をする床洗浄装置のパッド台に着脱可能に取り付けると共に適宜の間隔を設けて穴を穿設した保護パッドに組み合わせる洗浄用のパッドであって、保護パッドより厚肉に形成し保護パッドの穴の内側に位置せしめてパッド台に着脱可能に取り付けるメラミンフォーム製のパッド片。
【考案の詳細な説明】
【技術分野】
【０００１】
本考案は、駆動装置によって往復運動又は回転運動をするパッド台の下面に洗浄用のパッドを取り付けた床洗浄装置及びこの装置に使用する洗浄用のパッドに関するものである。
【背景技術】
【０００２】
床を洗浄するための装置としては、車輪などを付設して移動を可能にした筐体内に洗浄部を取り付けた大型の床洗浄機と小型のポリッシャーとが盛用されており、これらの床洗浄装置には、洗浄部が回転運動をするものと前後運動をするものとが存在している。
特許文献１として示した公知の床洗浄装置は、洗浄部が回転運動をする大型の床洗浄機に属するものである。
この洗浄機における洗浄部は、ドーナツ型の回転式パッド台に中央部を円形にくり抜いたドーナツ型の円盤状のメラミンフォーム製の洗浄用パッドを取り付けていて、パッド台の中央の空間には床面に水を供給するための供給口を臨ませる構成を採用している。
この公知の洗浄機では、パッドをパッド台へ面ファスナーを利用して取り付けているが、他の公知の床洗浄機では、パッドの天面を直接又は係合層を介してパッド台の下面に突出させた係合針に係合させ、機械本体の押圧力を利用して外れないようにしたものも存在している。
【０００３】
メラミンフォームは、水に濡らして使用すると、セラミックタイルや石材などのように床面に細孔があっても、床面の汚れを的確に除去できる利点がある。
しかしながら、被洗浄面との摩擦抵抗が大きくなって、洗浄機の移動が難しくなる不都合がある。
また、フォーム自体が変形し易くしかも摩滅し易いものであり、しかもドーナツ型となっているために、その中央部から床面に供給した水は、フォームの中央に滞留してしまうことになる。そのため、単純に洗浄機を移動させただけでは水が床面とフォームとの間に介在できない部分が生じて摩擦抵抗を低減できなくなる。
洗浄機の操作の仕方によっては、部分的あるいは全面的な摩滅が早期に発生し、あるいは床面との瞬間的な摩擦抵抗の増大によってパッドが捲れて外れるおそれもある。そうすると、パッド台の係合針やファスナー部材が直接床面と接触して床面を傷めてしまう不都合がある。
【特許文献１】特開２００８−９９７６８号公報
【考案の開示】
【考案が解決しようとする課題】
【０００４】
本考案は、駆動装置によって往復運動又は回転運動をするパッド台の下面に洗浄用のパッドを取り付けた床洗浄装置及びこの装置に使用する洗浄用のパッドにおいて、パッド回転時の摩擦抵抗を少なくすると共に、パッドが外れたり摩滅した場合であってもパッド台が直接床面と接触しないようにすることを課題としたものである。
【課題を解決するための手段】
【０００５】
この技術的課題を解決するための第一の技術的手段は、（イ）パッド台に適宜の間隔を設けて穴を穿設した保護パッドを取り付け、（ロ）この穴の内側に保護パッドより厚肉のメラミンフォーム製のパッド片を位置せしめ、（ハ）パッド片をパッド台に着脱可能に取り付けたこと、である。
【０００６】
適宜の間隔を設けて穴を穿設した保護パッドをパッド台の下面に取り付けると、保護パッドの穴の位置においてパッド台が露出する。この穴の内側にメラミンフォーム製のパッド片を位置せしめてパッド台に着脱可能に取り付けると、パッド片は間隔を設けた状態で配置され、しかもパッド片は保護パッドより厚肉に形成されているために、保護パッドから下方へ突出した状態で取り付けられることになる。
【０００７】
パッド台を床面上で回転させると、パッド片のみが床面と接触して洗浄が行なわれる。しかも、床面とパット片との接触が断続的となり、この回転時の摩擦抵抗は従来の洗浄機に比べて小さくすることができる。このとき、床面へ供給される水はパッド片の間を通って移動するから、パッドと床面との間における抵抗も小さくなる。
また、パッド片が摩滅したり、万一捲れたりしたとしても、パッド台あるいはその係合針が直接床面と接触することがないから、床面を傷める心配もない。
【０００８】
パッド片を構成するメラミンフォームは、回転中に床面に摺動するものであるため、過熱圧縮させて強度を高めた、いわゆる圧縮メラミンフォームを使用することが望ましい。
保護パッドの穴にパッド片を密嵌させた状態でパッド台に取り付けておくと、パッド片の周囲が保護パッドによって保持された状態となるため、両者の取り付けが一体的となってパッド片の取り付け状態に緩みが生じ難くなる。
また、パッド片の周壁をテーパー状に形成し洗浄面側の横断面を穴より大きく構成しておくと、仮に保護パッドの取り付けに緩みが生じても、パッド片の側壁が保護パッドを支えるため、保護パッドだけが脱落してしまう心配はない。
【０００９】
パッド片は、その摩滅によって保護パッドが床面と接触するようになると、パッド片のみを交換することになる。
勿論、保護パッドとパッド片の双方を同時に交換するようにしてもよい。
【００１０】
保護パッドは、不織布、ウレタンフォーム、その他のスポンジなどの柔軟な材質からなるパッドを好適に使用することができる。
保護パッドやパッド片は、その天面をパッド台の下面に突出させた針状突起に突き入れて係合させ、あるいは上記天面に不織布やスポンジなどで係合層を積層してこの係合層を針状突起と係合させることができる。
勿論、保護パッドやパッド片とパッド台とを面ファスナーを利用して取り付けるようにしてもよい。
パッド台が往復運動をするタイプのものでは、往復する先端側と後端側に垂れ壁を設けて前進するパッドを後から押圧ないし支えるようにしておくことが望ましい。
【考案の効果】
【００１１】
パッド回転時の摩擦抵抗を少なくできる結果、洗浄機の操作性が大きく損なわれることはない。また、パッドが外れあるいは摩滅した場合であっても、保護パッドが介在してパッド台が直接床面と接触することがないから、安心して洗浄機を操作できる利点がある。
また、床面に供給する水の回りも良くなるため、床面を綺麗に仕上げることができる利点もある。
【考案を実施するための最良の形態】
【００１２】
この実施形態においては、図１に示した小型のポリッシャー１のパッド台３に保護パッド５及びメラミンフォーム製のパッド片７、７を取り付けた例を示している。
ポリッシャー１は、洗浄部の上面に本体カバー２を取り付けていて、その内側にパッド台３とこれを回転させるモーター（図示省略）を配置している。パッド台３は、特許文献１と同様にドーナツ型となっている。
ポリッシャー１には水タンク１０が付設させてあって、タンク１０に連通させたチューブ１１の先端を洗浄部へ臨ませ、符号１２で示した供給口（図２においてその位置のみを仮想線で示している。）から床に水を流下させられるようにしている。
【００１３】
図２はパッド台３の底面図であり、図３は保護パッド５とパッド片７、７とを組み合わせた状態の底面図及び正面図である。
本実施形態ではやや固めのナイロン繊維からなる厚さ約８mmの不織布で保護パッド５を形成し、パッド台２に対応してドーナツ型としている。パッド台２へは、図示しない係合針に押し付ける方法によって取り付けている。
保護パッド５には、丸みをもたせた三角状の穴６、６が四つ穿設してあり、その形状に対応させて成形したパッド片７、７を穴６の内側に位置させている。
【００１４】
パッド片７は、いわゆる圧縮メラミンフォームで形成してあって、厚さ約３０mmとしその横断面を穴６よりもわずかに大きくしてあって、保護パッドの穴６に密嵌させた状態となっている。このパッド片７の天面には、ナイロン製のスポンジ（図示省略）が積層させてあって、このスポンジ部分を前記係合針に押し付ける方法によってパッド台２に取り付けるようにしている。
【００１５】
図４〜６は、保護パッド５へのパッド片７の取り付けパターン例を示したものである。
図４は、円形のパッド片７、７が保護パッド５上で同一円周上に並ぶように構成したものを示している。
図５は、部分円弧状のパッド片７、７が保護パッド５上で円周方向に千鳥状に並べた構成のものを示している。
また、図６は、部分扇状のパッド片７、７が保護パッド５上で円周方向に間隔を設けて配置した構成のものを示している。
【図面の簡単な説明】
【００１６】
【図１】ポリッシャーの斜視図
【図２】洗浄部の底面図
【図３】保護パッドとパッド片との組み合わせた状態の正面図
【図４】保護パッドと円形パッド片を組み合わせた底面図
【図５】保護パッドと部分円弧状のパッド片を組み合わせた底面図
【図６】保護パッドと部分扇状パッド片を組み合わせた底面図
【符号の説明】
【００１７】
１ポリッシャー、  ２本体カバー、  ３パッド台、  ５保護パッド、  ６保護パッドに穿設した穴、  ７圧縮メラミンフォームからなるパッド片、  １０水タンク、  １１チューブ、  １２水供給口  
【図１】
0003145296.tif 000003
【図２】
0003145296.tif 000004
【図３】
0003145296.tif 000005
【図４】
0003145296.tif 000006
【図５】
0003145296.tif 000007
【図６】
0003145296.tif 000008